(57)【要約】【課題】収納庫の収納効率及び利便性を高めることができる収納庫用仕切り部材及び収納庫を提供する。【解決手段】収納庫用仕切り部材は、上方に立ち上がるとともに、互いに所定の間隔を空けて対向配置された第１側板部及び第２側板部と、前記第１側板部及び前記第２側板部の下端部から上方に所定の間隔をあけて配置されるとともに、前記第１側板部及び前記第２側板部を互いに接続する天板部と、前記天板部から上方に立ち上がる立ち上がり部と、を備えている。【選択図】図３
2019051227.tif 000002
【特許請求の範囲】
【請求項１】
収納庫における収納空間を仕切るための収納庫用仕切り部材であって、
上方に立ち上がるとともに、互いに所定の間隔を空けて対向配置された第１側板部及び第２側板部と、
前記第１側板部及び前記第２側板部の下端部から上方に所定の間隔をあけて配置されるとともに、前記第１側板部及び前記第２側板部を互いに接続する天板部と、
前記天板部から上方に立ち上がる立ち上がり部と、
を備えていることを特徴とする収納庫用仕切り部材。
【請求項２】
前記立ち上がり部は、前記第１側板部の延長上に配置されている、
ことを特徴とする請求項１に記載の収納庫用仕切り部材。
【請求項３】
前記立ち上がり部は、前記天板部上の後方に配置されている、
ことを特徴とする請求項１又は２に記載の収納庫用仕切り部材。
【請求項４】
前記収納庫用仕切り部材を前記収納庫に設置する際の位置を決定するための規制部をさらに備えている、
ことを特徴とする請求項１から３の何れか１項に記載の収納庫用仕切り部材。
【請求項５】
前記天板部の前方側に切り欠き部が形成されている、
ことを特徴とする請求項１から４の何れか１項に記載の収納庫用仕切り部材。
【請求項６】
前記収納庫用仕切り部材が前記収納庫内に設置された場合、
前記収納庫用仕切り部材は、前記収納庫内の空間を、
前記第１側板部と前記第２側板部と前記天板部とで囲まれた第１収納空間と、
前記天板部の上方に形成された第２収納空間と、
前記第１側板部及び前記立ち上がり部の側方に形成され、前記第１収納空間及び前記第２収納空間に隣り合う第３収納空間と、に仕切る、
ことを特徴とする請求項１から５の何れか１項に記載の収納庫用仕切り部材。
【請求項７】
前記第１側板部と前記第２側板部と前記天板部とで囲まれた空間は、ノート型パーソナルコンピュータを収納可能な大きさを有する、
ことを特徴とする請求項１から６の何れか１項に記載の収納庫用仕切り部材。
【請求項８】
電源供給部をさらに備えている、
ことを特徴とする請求項１から７の何れか１項に記載の収納庫用仕切り部材。
【請求項９】
前記電源供給部と前記切り欠き部とは、互いに近接して配置されている、
ことを特徴とする請求項８に記載の収納庫用仕切り部材。
【請求項１０】
請求項１から９の何れか１項に記載の収納庫用仕切り部材を備えていることを特徴とする収納庫。
【発明の詳細な説明】
【技術分野】
【０００１】
本発明は、収納庫用仕切り部材及び収納庫に関する。
【背景技術】
【０００２】
従来、書類等の収納物を収納する収納庫において、収納空間を有効利用するために収納空間を仕切るための仕切り部材が用いられている（例えば特許文献１参照）。例えば、収納空間に棚板等の仕切り部材を設置して収納空間を上下に分割し、それぞれの収納空間に収納物を収納することにより、収納空間の利用効率を高めている。
【０００３】
近年では、収納庫の利用態様が多様化しており、例えばオフィス等において、従業員毎に割り当てられた扉付き収納庫（個人用ロッカー）には、業務で使用するＰＣ（ノート型パーソナルコンピュータ）、ファイルボックス、各種の書類、文具等の小物類など、多様な収納物を収納する必要がある。
【先行技術文献】
【特許文献】
【０００４】
【特許文献１】特開２００２−３４６７７号公報
【発明の概要】
【発明が解決しようとする課題】
【０００５】
しかしながら、従来の仕切り部材では、上述した多様な収納物を効率よく収納すること困難であり、また一旦収納した収納物を取り出し難いという問題が生じる。
【０００６】
本発明は、上記実情に鑑みてなされたものであり、その目的は、収納庫の収納効率及び利便性を高めることができる収納庫用仕切り部材及び収納庫を提供することにある。
【課題を解決するための手段】
【０００７】
上記課題を解決するために、本発明に係る収納庫用仕切り部材は、収納庫における収納空間を仕切るための収納庫用仕切り部材であって、上方に立ち上がるとともに、互いに所定の間隔を空けて対向配置された第１側板部及び第２側板部と、前記第１側板部及び前記第２側板部の下端部から上方に所定の間隔をあけて配置されるとともに、前記第１側板部及び前記第２側板部を互いに接続する天板部と、前記天板部から上方に立ち上がる立ち上がり部と、を備えていることを特徴とする。
【０００８】
上記構成によれば、収納庫用仕切り部材を収納庫に設置した場合に、１つの収納空間を複数の収納空間に仕切ることができるとともに、立ち上がり部が収納物の転倒を防ぐことができる。よって、収納庫の収納効率及び利便性を高めることができる。
【０００９】
ここで本発明に係る収納庫用仕切り部材では、前記立ち上がり部は、前記第１側板部の延長上に配置されてもよい。
【００１０】
また本発明に係る収納庫用仕切り部材では、前記立ち上がり部は、前記天板部上の後方に配置されてもよい。
【００１１】
また本発明に係る収納庫用仕切り部材では、前記収納庫用仕切り部材を前記収納庫に設置する際の位置を決定するための規制部をさらに備えてもよい。
【００１２】
また本発明に係る収納庫用仕切り部材では、前記天板部の前方側に切り欠き部が形成されてもよい。
【００１３】
また本発明に係る収納庫用仕切り部材では、前記収納庫用仕切り部材が前記収納庫内に設置された場合、前記収納庫用仕切り部材は、前記収納庫内の空間を、前記第１側板部と前記第２側板部と前記天板部とで囲まれた第１収納空間と、前記天板部の上方に形成された第２収納空間と、前記第１側板部及び前記立ち上がり部の側方に形成され、前記第１収納空間及び前記第２収納空間に隣り合う第３収納空間と、に仕切ってもよい。
【００１４】
また本発明に係る収納庫用仕切り部材では、前記第１側板部と前記第２側板部と前記天板部とで囲まれた空間は、ノート型パーソナルコンピュータを収納可能な大きさを有してもよい。
【００１５】
また本発明に係る収納庫用仕切り部材では、電源供給部をさらに備えてもよい。
【００１６】
また本発明に係る収納庫用仕切り部材では、前記電源供給部と前記切り欠き部とは、互いに近接して配置されてもよい。
【００１７】
また本発明に係る収納庫は、上記収納庫用仕切り部材を備えていることを特徴とする。
【発明の効果】
【００１８】
本発明に係る収納庫用仕切り部材及び収納庫によれば、収納庫の収納効率及び利便性を高めることができる。
【図面の簡単な説明】
【００１９】
【図１】本実施形態に係る収納装置の概略構成を示す図であり、（ａ）は収納装置の正面図を示し、（ｂ）は収納装置の右側面図を示している。
【図２】図１において、扉を省略した収納装置の概略構成を示す図である。
【図３】本実施形態に係る仕切り部材の右前方斜視図である。
【図４】本実施形態に係る仕切り部材の左前方斜視図である。
【図５】本実施形態に係る仕切り部材の平面図である。
【図６】本実施形態に係る仕切り部材の背面斜視図である。
【図７】本実施形態に係る仕切り部材の一部（嵌合部）を拡大した平面図である。
【図８】本実施形態に係る仕切り部材の他の構成を示す右前方斜視図である。
【図９】本実施形態に係る仕切り部材の他の構成を示す右前方斜視図である。
【図１０】本実施形態に係る収納装置の他の構成を示す正面図である。
【図１１】本実施形態に係る仕切り部材の他の構成を示す平面図である。
【図１２】本実施形態に係る仕切り部材の他の構成を示す背面斜視図である。
【図１３】本実施形態に係る仕切り部材の他の構成を示す右前方斜視図である。
【図１４】本実施形態に係る仕切り部材の他の構成を示す右前方斜視図である。
【図１５】本実施形態に係る仕切り部材の他の構成を示す右前方斜視図である。
【図１６】本実施形態に係る仕切り部材の他の構成を示す左後方斜視図である。
【発明を実施するための形態】
【００２０】
本発明の実施形態について、図面を用いて以下に説明する。図１は、本実施形態に係る収納装置１の概略構成を示す図であり、図１（ａ）は収納装置１の正面図を示し、図１（ｂ）は収納装置１の右側面図を示している。図１に示す収納装置１は、６個の収納庫１０を含んでいる。尚、収納装置１に含まれる収納庫１０の数は限定されず、１個でもよいし複数個でもよい。収納装置１は、例えば、オフィスに設置され、従業員（ユーザ）ごとに１個の収納庫１０が割り当てられる。各ユーザは、業務で使用するノート型パーソナルコンピュータ（ノートパソコン）、ファイルボックス、各種の書類、文具等の小物類など、多様な収納物を、収納庫１０に収納する。収納庫１０は、鍵付きの扉２０を備えている。尚、扉２０は省略されてもよい。図１に示す収納庫１０では、扉２０の右端にヒンジ部（図示せず）が設けられており、扉２０は、右側を支点にして左側が開閉可能な構成となっている。尚、各図において、収納庫１０の左右（幅）方向をＸ方向、前後（奥行）方向をＹ方向、上下（高さ）方向をＺ方向とする。
【００２１】
図２には、説明の便宜上、扉２０を省略した収納装置１の構成を示している。各収納庫１０は、互いに同一の構成を有している。以下では、１個の収納庫１０を例に挙げて説明する。収納庫１０は、底板２（棚板）と、側板３，４と、上板５と、背面側の後板（図示せず）とを備えている。収納庫１０には、底板２と側板３，４と上板５と後板とで囲まれた１つの収納空間Ｓが形成されている。本発明に係る仕切り部材１００（収納庫用仕切り部材）が収納庫１０内に設置された場合、収納空間Ｓは、複数の収納空間に分割される。すなわち、仕切り部材１００は、収納空間Ｓを複数の収納空間に仕切るための構成を有している。
【００２２】
具体的には、仕切り部材１００は、収納庫１０内の底板２に載置され、扉２０のヒンジ部とは反対側（図２では左側）の側板４に当接するように設置される。仕切り部材１００により、収納空間Ｓは、第１収納空間Ｓ１と、第２収納空間Ｓ２と、第３収納空間Ｓ３とに仕切られる。例えば、第１収納空間Ｓ１には、Ａ４サイズ相当のノートパソコンＰＣが収納され、第２収納空間Ｓ２には、Ａ４横置き型のファイルボックスＢが収納され、第３収納空間Ｓ３には、Ａ４縦置きき型のファイルＦが収納される。以下、仕切り部材１００の具体的な構成について説明する。
【００２３】
図３〜図６は、本実施形態に係る仕切り部材１００の構成を示す図である。図３は仕切り部材１００の右前方斜視図であり、図４は仕切り部材１００の左前方斜視図であり、図５は仕切り部材１００の平面図であり、図６は仕切り部材１００の裏面斜視図である。
【００２４】
仕切り部材１００は、上方（Ｚ方向）に立ち上がるとともに、互いに所定の間隔を空けて対向配置された、右側板部１０２（第１側板部）及び左側板部１０３（第２側板部）と、上方（Ｚ方向）に立ち上がるとともに、右側板部１０２の後端部と左側板部１０３の後端部とを互いに接続する後板部１０８と、右側板部１０２、左側板部１０３及び後板部１０８の下端部から上方（Ｚ方向）に所定の間隔をあけて配置されるとともに、右側板部１０２、左側板部１０３及び後板部１０８の上端部を互いに接続する天板部１０１と、天板部１０１から上方（Ｚ方向）に立ち上がる立ち上がり部１１０と、を備えている。立ち上がり部１１０は、右側板部１０２の延長上であって、天板部１０１のＹ方向の後方側に配置されている。立ち上がり部１１０の前端は、Ｙ方向の後方かつ上方に向かって傾斜する傾斜部１１０ａを有している。天板部１０１の前方左側には、Ｙ方向の後方に向かって切り欠かれた切り欠き部１０１ａ（図５参照）が形成されている。右側板部１０２と左側板部１０３と後板部１０８と天板部１０１とで囲まれた空間（開口部１４０）が形成され、仕切り部材１００が収納庫１０に設置された場合、開口部１４０は第１収納空間Ｓ１（図２参照）を形成する。
【００２５】
図６に示すように、左側板部１０３は、上方（Ｚ方向）に立ち上がるとともに、互いに所定の間隔を空けて対向配置された、内板部１０４及び外板部１０５と、上方（Ｚ方向）に立ち上がるとともに、内板部１０４の後端部と外板部１０５の後端部とを互いに接続する後板部１０６と、内板部１０４の前端部と外板部１０５の前端部とを互いに接続する前板部１０７と、を備えている。内板部１０４の上端部及び外板部１０５の上端部は、それぞれ、天板部１０１の裏面に接続されている。
【００２６】
左側板部１０３は、さらに、前板部１０７に嵌合部１３０（規制部）を備え、前方上面（天板部１０１）に電源供給部１２０を備えている。嵌合部１３０は、収納庫１０の側板４（図２参照）に嵌合される。具体的には、図７に示すように、嵌合部１３０は、前板部１０７から前方に突出する突起状に形成されており、収納庫１０の側板４の折り曲げ部に形成された溝部４ａ（スリット）に嵌め込まれる。これにより、仕切り部材１００が収納庫１０内で固定され、横方向の移動が規制される。すなわち、嵌合部１３０（規制部）は、仕切り部材１００を収納庫１０に設置する際の位置を決定するための位置決め部として機能し、また仕切り部材１００を収納庫１０に固定するための固定部として機能する。電源供給部１２０は、天板部１０１に形成された開口部に挿入固定される。電源供給部１２０は、切り欠き部１０１ａに近接して配置されている。電源供給部１２０は、例えば、第１収納空間Ｓ１に収納されたノートパソコンＰＣに接続されたケーブルのプラグが接続され、当該ケーブルを介してノートパソコンＰＣに電源を供給する。内板部１０４と外板部１０５と後板部１０６と前板部１０７とこれらに接続される天板部１０１とにより囲まれた空間は、電源供給部１２０に電源を供給するための電源ケーブルを収納するケーブル収納部１０９を構成する。
【００２７】
図５等に示すように、仕切り部材１００の左側前端部には切り欠き部１０５ａが形成されており、仕切り部材１００の左側後端部には切り欠き部１０８ａが形成されている。また図６に示すように、右側板部１０２の後端部には切り欠き部１０２ａが形成されており、左側板部１０３の内板部１０４の後端部には切り欠き部１０４ａが形成されており、左側板部１０３の後板部１０６の右端部には切り欠き部１０６ａが形成されている。これらの切り欠き部により、例えば、収納庫１０において、電源供給部１２０に接続され、ケーブル収納部１０９に収納された電源ケーブルを、仕切り部材１００の外側へ、左右及び後方の何れの方向にも引き回す（配線する）ことができる。尚、収納庫１０の底板２、側板３，４及び上板５には、必要に応じて、電源ケーブルを引き回す（配線する）ための開口部（貫通孔）が形成されていることが好ましい。
【００２８】
仕切り部材１００の開口部１４０は、例えば、高さ（Ｚ方向）及び幅（Ｘ方向）がＡ４サイズ相当のノートパソコンを収納可能な寸法に設定されている。例えば、開口部１４０は、高さが略５０ｍｍ、幅が略２４０ｍｍ、奥行が略３７０ｍｍに設定されている。また、立ち上がり部１１０は、例えば、天板部１０１からの高さが、右側板部１０２の高さと同じ高さかそれ以上の高さに設定されている。
【００２９】
上記構成を有する仕切り部材１００を収納庫１０に設置することにより、図２に示すように、収納空間Ｓを、第１収納空間Ｓ１と第２収納空間Ｓ２と第３収納空間Ｓ３とに仕切ることができる。第１収納空間Ｓ１は、収納庫１０の底板２と右側板部１０２と左側板部１０３と天板部１０１とにより形成され、第２収納空間Ｓ２は、天板部１０１と立ち上がり部１１０と収納庫１０の側板４と収納庫１０の上板５とにより形成され、第３収納空間Ｓ３は、収納庫１０の底板２と右側板部１０２と立ち上がり部１１０と収納庫１０の側板３と収納庫１０の上板５とにより形成される。第２収納空間Ｓ２と第３収納空間Ｓ３との間には、立ち上がり部１１０が配置されるため、第２収納空間Ｓ２及び第３収納空間Ｓ３のそれぞれの収納物が隣の収納空間へ倒れ込むこと（転倒）を防ぐことができる。すなわち、立ち上がり部１１０は、いわゆるブックエンド（本立て）として機能する。
【００３０】
本実施形態に係る仕切り部材１００によれば、収納庫１０において、各収納空間に適した収納物を効率よく収納することができる。よって、収納庫１０の収納効率を高めることができる。また仕切り部材１００は、収納庫１０の扉２０が開閉される側（ここでは左側）に配置されるため、使用頻度の高いノートパソコンＰＣ及びファイルボックスＢを、扉２０の開閉側に収納することができる。このため、ノートパソコンＰＣ及びファイルボックスＢの入出庫作業を容易に行うことができる。
【００３１】
また、天板部１０１には切り欠き部１０１ａが形成されているため、特に、収納庫１０に収納されたノートパソコンＰＣをユーザが手で掴み易くなり、またノートパソコンＰＣを収納する際にはユーザの手が天板部１０１に触れずに収納することができるため、入出庫作業を容易に行うことができる。また、例えば、収納物が、第１収納空間Ｓ１に収納された際に天板部１０１に覆われてしまうような大きさの収納物（例えば、ノートパソコンＰＣ）である場合、ノートパソコンＰＣの側面の端子差込口が切り欠き部１０１ａから視認し易くなり、電源供給を行い易くなる。さらに、電源供給部１２０と切り欠き部１０１ａとが互いに近接して配置されているため、天板部１０１が配線の邪魔にならず、電源供給を行い易くなる。
【００３２】
また、立ち上がり部１１０は、天板部１０１上の後方に形成され、かつ傾斜部１１０ａを有するため、扉２０のヒンジ部側となる第３収納空間Ｓ３の収納物（例えば、ファイルＦ）であっても、入出庫作業をスムーズに行うことができる。すなわち、立ち上がり部１１０は、第２収納空間Ｓ２と第３収納空間Ｓ３とを仕切る機能と、それぞれの収納空間に収納物を収納する際の収納作業（入庫作業）を容易にする機能と、それぞれの収納空間に収納された収納物を取り出す際の取り出し作業（出庫作業）を容易にする機能とを兼ね備えている。さらに、仕切り部材１００は電源供給部１２０を備えているため、ノートパソコンＰＣを、収納庫１０に収納した状態で充電を行うことができる。よって、収納庫１０の利便性を高めることができる。尚、電源供給部１２０は、ノートパソコンＰＣに限定されず、電源を必要とする様々な収納物（例えば、スマートフォン等の携帯端末）に対して電源を供給してもよい。
【００３３】
本発明の仕切り部材１００は、上記構成に限定されず、以下に示す構成であってもよい。
【００３４】
例えば、収納庫１０の扉２０が、左側を支点にして右側が開閉可能な構成の場合、仕切り部材１００は、左右の構成が反転した構成であってもよい。すなわち、この構成では、立ち上がり部１１０が左側板部１０３（第１側板部）の延長上に配置され、嵌合部１３０及び電源供給部１２０が右側板部１０２（第２側板部）に設けられ、切り欠き部１０１ａが天板部１０１の前方右側に形成される。上記構成を有する仕切り部材１００は、収納庫１０内において、右側の側板３（図２参照）に当接するように設置される。
【００３５】
また例えば、図８に示すように、仕切り部材１００は、立ち上がり部１１０（図３参照）が省略された構成であってもよい。この場合、右側板部１０２がブックエンド（本立て）として機能する。ここで、ブックエンドとしての機能を高めるために、図９に示すように、右側板部１０２及び左側板部１０３の高さを高くしてもよい。例えば、右側板部１０２及び左側板部１０３の高さ（開口部１４０の高さ）を、Ａ４横置き型のファイルボックスＢを収納可能な高さに設定してもよい。この場合、図１０に示すように、第１収納空間Ｓ１には、Ａ４横置き型のファイルボックスＢが収納され、第２収納空間Ｓ２には、Ａ４サイズ相当のノートパソコンＰＣが収納され、第３収納空間Ｓ３には、Ａ４縦置きき型のファイルＦが収納される。尚、図８に示す構成では、収納庫１０における仕切り部材１００の横方向の移動を確実に抑制するために、嵌合部１３０を複数個所（例えば、上下２個所）設けることが好ましい。上記構成においても、収納庫１０の収納効率及び利便性を高めることができる。
【００３６】
また例えば、仕切り部材１００は、電源供給部１２０（図３及び図８参照）が省略されてもよい。電源供給部１２０を省略する場合、図１１に示すように天板部１０１に形成された開口部にキャップ１２０ａを装着してもよいし、天板部１０１に開口部を形成しない構成としてもよい。
【００３７】
また例えば、仕切り部材１００の天板部１０１は、右側板部１０２、左側板部１０３及び後板部１０８の下端部と上端部との間に設けられてもよい。この構成によれば、例えば右側板部１０２が天板部１０１より上方に立ち上がるため、立ち上がり部１１０が省略された場合でも、立ち上がり部１１０として機能することができる。
【００３８】
また、上記各形態において、仕切り部材は、樹脂材料で形成されてもよいし、金属材料で形成されてもよい。また、仕切り部材は、透明樹脂材料で形成されてもよく、これによりユーザは収納物を視認し易くなる。
【００３９】
また、仕切り部材１００を収納庫１０に固定（嵌合）するための規制部（嵌合部１３０）の位置は、前板部１０７（図６参照）に限定されない。例えば、図１２に示すように、嵌合部１３１が、右側板部１０２に設けられてもよいし、嵌合部１３２，１３３が、後板部１０８に設けられてもよい。また、図１３に示すように、固定部１３４が右側板部１０２からＸ方向に延在するように設けられてもよい。仕切り部材１００は、図６に示す嵌合部１３０と、図１２に示す嵌合部１３１，１３２，１３３と、図１３に示す固定部１３４とを合わせた４つの規制部のうち、何れか１つの規制部が設けられてもよいし、複数の規制部が組み合わされて設けられてもよい。また、収納庫１０の底板２には、嵌合部１３１，１３２，１３３を嵌合（受容）するための開口孔（差し込み孔）が嵌合部の数に応じて形成されてもよいし、固定部１３４を固定するためのネジ（ボルト、ナット）やファスナー等を通す貫通孔が形成されてもよい。
【００４０】
また、電源供給部１２０が設けられる位置は、天板部１０１の前方上面（図５参照）に限定されず、図１４に示すように天板部１０１の後方上面であってもよいし、図１５に示すように天板部１０１の前方裏面であってもよい。図１４に示す構成では、仕切り部材１００の後方裏側に、仕切り板で仕切られたケーブル収納部１０９が形成され、ケーブル収納部１０９に収納された電源ケーブルを、図１４に示す配線経路に従って、仕切り部材１００の外側へ引き回す（配線する）ことができる。また図１５に示す構成では、仕切り部材１００の前方裏面から後方裏面にケーブル収納部１０９が形成され、ケーブル収納部１０９に収納された電源ケーブルを、図１５に示す配線経路に従って、仕切り部材１００の外側へ引き回す（配線する）ことができる。尚、上下方向に並べられた収納庫１０において、各種ケーブルを、図１６に示すような配線経路に従って配線を容易にするために、図１６に示すように、仕切り部材１００の左側板部１０３の後側が、図１２に示す構成よりもさらに切り欠かれてもよい。
【００４１】
また、上記各形態において、仕切り部材は、幅方向（Ｘ方向）、奥行方向（Ｙ方向）及び高さ方向（Ｚ方向）の少なくとも何れかの方向に伸縮可能な構成であってもよい。この構成の場合、収納物の大きさに応じて収納空間Ｓ１，Ｓ２，Ｓ３の大きさを調整すればよい。尚、伸縮を可能とする機構は、周知の技術を適用することができる。
【００４２】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００４３】
１  収納装置、１０  収納庫、２０  扉、２  底板、３，４  側板、４ａ  溝部、５  上板、１００  仕切り部材、１０１  天板部、１０１ａ  切り欠き部、１０２  右側板部（第１側板部又は第２側板部）、１０３  左側板部（第１側板部又は第２側板部）、１０４  内板部、１０５  外板部、１０６  後板部、１０７  前板部、１０８  後板部、１０９  ケーブル収納部、１１０  立ち上がり部、１１０ａ  傾斜部、１２０  電源供給部、１３０，１３１，１３２，１３３，１３４  嵌合部、１４０  開口部、Ｓ  収納空間、Ｓ１  第１収納空間、Ｓ２  第２収納空間、Ｓ３  第３収納空間。
【図１】
2019051227.tif 000003
【図２】
2019051227.tif 000004
【図３】
2019051227.tif 000005
【図４】
2019051227.tif 000006
【図５】
2019051227.tif 000007
【図６】
2019051227.tif 000008
【図７】
2019051227.tif 000009
【図８】
2019051227.tif 000010
【図９】
2019051227.tif 000011
【図１０】
2019051227.tif 000012
【図１１】
2019051227.tif 000013
【図１２】
2019051227.tif 000014
【図１３】
2019051227.tif 000015
【図１４】
2019051227.tif 000016
【図１５】
2019051227.tif 000017
【図１６】
2019051227.tif 000018